(57)【特許請求の範囲】
【請求項１】
受光素子チップを樹脂封止した樹脂封止部および該樹脂封止部から導出されたリード部を有する樹脂封止型受光素子と、該樹脂封止型受光素子を囲んで電磁シールドを行うシールドケースとを備える遠隔制御用受光装置であって、
前記樹脂封止部は、前記受光素子チップへ光を入射させる入射面と、該入射面に隣接し前記リード部が導出されるリード導出面と、前記入射面および前記リード導出面に隣接する一対の側面と、前記入射面に隣接し前記リード導出面の反対側に位置する先端面と、前記入射面の反対側に位置する裏面とを備え、
前記シールドケースは、前記入射面に対向する入射面対向部と、前記側面に対向する一対の側面対向部と、前記先端面に対向する先端面対向部と、前記側面対向部から前記樹脂封止部の側面に沿って延長され前記側面対向部より細く形成された側面対向延長部に形成された第１嵌合部と、前記先端面対向部から延長された先端面対向延長部の一部を延長方向と交差する方向に延長して形成された第２嵌合部とを備え、
前記先端面対向延長部は、折り曲げられて前記裏面に対向し、前記第１嵌合部および前記第２嵌合部は、相互に嵌合させてあること
を特徴とする遠隔制御用受光装置。
【請求項２】
請求項１に記載の遠隔制御用受光装置であって、
前記第１嵌合部は、折り曲げられた舌片状の舌片端部を備え、前記第２嵌合部は、前記舌片端部が前記樹脂封止部の方から挿入された貫通穴を有する枠状部を備えること
を特徴とする遠隔制御用受光装置。
【請求項３】
請求項１に記載の遠隔制御用受光装置であって、
前記第２嵌合部は、折り曲げられた舌片状の舌片端部を備え、前記第１嵌合部は、前記舌片端部が前記樹脂封止部の方から挿入された貫通穴を有する枠状部を備えること
を特徴とする遠隔制御用受光装置。
【請求項４】
請求項３に記載の遠隔制御用受光装置であって、
前記樹脂封止型受光素子を実装先の配線基板へ固定して保持するフック部を備え、該フック部は、前記側面対向延長部を前記第１嵌合部からさらに延長して形成されていること
を特徴とする遠隔制御用受光装置。
【請求項５】
請求項２ないし請求項４のいずれか一つに記載の遠隔制御用受光装置であって、
前記舌片端部は、波状に折り曲げられていること
を特徴とする遠隔制御用受光装置。
【請求項６】
請求項５に記載の遠隔制御用受光装置であって、
前記舌片端部は、前記側面対向部の外側表面に対して外側へ突出させた外側突出部を根元側に有し、該外側突出部は前記貫通穴に嵌合させてあること
を特徴とする遠隔制御用受光装置。
【請求項７】
請求項６に記載の遠隔制御用受光装置であって、
前記舌片端部は、前記側面対向部の内側表面に対して樹脂封止部の方へ突出させた内側突出部を前記外側突出部に隣接して有し、前記内側突出部は前記樹脂封止部を挟む構成としてあること
を特徴とする遠隔制御用受光装置。
【請求項８】
請求項６または請求項７記載の遠隔制御用受光装置であって、
前記貫通穴の開口形状は、嵌合された前記外側突出部に対応する側が円弧状とされていること
を特徴とする遠隔制御用受光装置。
【請求項９】
請求項６または請求項７記載の遠隔制御用受光装置であって、
前記貫通穴の開口形状は、嵌合された前記外側突出部に対応する側が直線状とされていること
を特徴とする遠隔制御用受光装置。
【請求項１０】
請求項１ないし請求項９のいずれか一つに記載の遠隔制御用受光装置であって、
前記先端面対向延長部は、前記先端面対向部との境界に折り曲げ用貫通穴を備えること
を特徴とする遠隔制御用受光装置。
【請求項１１】
請求項１０に記載の遠隔制御用受光装置であって、
前記先端面対向延長部は、前記折り曲げ用貫通穴と同一形状の放熱用貫通穴を備えること
を特徴とする遠隔制御用受光装置。
【請求項１２】
請求項１ないし請求項１１のいずれか一つに記載の遠隔制御用受光装置であって、
前記先端面対向延長部は、前記裏面の端部に対応させて屈曲され縁取りされた屈曲縁取り部を備えること
を特徴とする遠隔制御用受光装置。
【請求項１３】
請求項１ないし請求項１２のいずれか一つに記載の遠隔制御用受光装置であって、
前記側面対向部は、前記側面対向部から延長されて前記側面と交差する方向で前記裏面の延長方向に突出されたケース耳部を備え、該ケース耳部は対向する一対の前記側面に対して前記先端面からの位置を相互に異ならせてあること
を特徴とする遠隔制御用受光装置。
【請求項１４】
遠隔制御用受光装置を備える電子機器であって、
前記遠隔制御用受光装置は、請求項１ないし請求項１３のいずれか一つに記載の遠隔制御用受光装置であること
を特徴とする電子機器。
【発明の詳細な説明】
【技術分野】
【０００１】
本発明は、樹脂封止型受光素子と、樹脂封止型受光素子を囲んで電磁シールドを行うシールドケースとを備える遠隔制御用受光装置、およびこのような遠隔制御用受光装置を備える電子機器に関する。
【背景技術】
【０００２】
リモコン送信機（リモートコントローラ）と呼ばれる遠隔制御用送信装置（遠隔制御用発光装置）から送信された赤外光信号を受信する遠隔制御用受信装置（以下、遠隔制御用受光装置と言う）においては、受光素子（ホトダイオードチップ（以下、ＰＤチップと言う））によって、リモコン送信機から送信された赤外光信号を受信する。
【０００３】
そして、受信した赤外光信号に対して信号制御処理用素子（以下、ＩＣチップと言う）によって増幅および波形整形等の各種の信号処理を行い、受信した赤外光信号に応答して各種のオーディオヴィジュアル機器（例：ＴＶ受像機、ＶＴＲ等）、オフィスオートメーション機器（例：パーソナルコンピューター等）の遠隔制御が行なわれる。
【０００４】
リモコン送信機から送信される赤外光信号（デジタル信号）は、ＰＤチップの受光面で受光され、受光された光信号は微弱な電気信号に変換される。そして、微弱な電気信号はＩＣチップ内の増幅回路によって数万倍に増幅され、増幅された電気信号は必要な周波数帯域の信号のみを抽出するフィルタ回路（バンドパスフィルタ（ＢＰＦ））で必要な信号の周波数のみが抽出される。その後、検波回路によって赤外光信号と同様のデジタル信号情報として出力される。
【０００５】
上述した遠隔制御用受光装置は、ＰＤチップとＩＣチップとをリードフレーム上に搭載固着した後、モールド樹脂によって封止することによって形成され、いわゆる複数チップ型受光部品を構成する。
【０００６】
また、遠隔制御用受光装置としては、モールド樹脂を外側から金属製ケースによって覆った外部シールド型と、モールド樹脂の内側でＰＤチップおよびＩＣチップをリードフレームで覆った内部シールド型とがある。一般的に、遠隔制御用受光装置の機能として１０ｍ以上の遠隔制御距離が要請されている。したがって、シールド形態に関係なく微弱な電気信号を増幅するために数万倍の信号増幅処理を行なっている。
【０００７】
遠隔制御用受光装置では、非常に高い増幅率での信号処理を施すことから、電磁ノイズ等の信号以外のノイズ成分も増幅回路によって増幅されてしまい、信号とノイズとの強弱の比（ＳＮ比）が確保できなくなり、結果的に必要な信号のみを抽出することができなくなってしまう。
【０００８】
したがって、ＳＮ比を改善するために、上述したとおり、金属製のシールドケース等でＰＤチップ、ＩＣチップ、およびその周辺を覆って、電磁シールドを施すことが行われている。
【０００９】
モールド樹脂を覆う金属シールドケースは製品単品（１個の遠隔制御用受光装置）状態ではモールド樹脂を覆うのみであり、リードフレームのＧＮＤ端子部分のリードとは繋がっておらず、ユーザ側で基板に実装する際にリードフレームのＧＮＤリード部と金属シールドケースとを基板上のパターンを介して同電位に繋ぐのが一般的である。
【００１０】
なお、製品単品状態でＧＮＤリード部と金属シールドケースとを導通させた構造のものがあった。しかしながら、半田付けで導通処理を施す必要がある等の附加作業が必要であるためコストアップの要因となり、単品状態で金属シールドケースを搭載した製品では非導通が主流を占めている。
【００１１】
図６Ａ、図６Ｂ、図７に基づいて従来の遠隔制御用受光装置について説明する。
【００１２】
図６Ａは、従来の樹脂封止型受光素子を製造過程で多連状としている状態を示す説明図であり、平面図および側面図を併せて示してある。
【００１３】
従来の樹脂封止型受光素子１１０は、リード部１１５と、受光素子チップ（不図示）が搭載されたリード部１１５の先端を樹脂封止する樹脂封止部１１６とを備える。樹脂封止部１１６には、例えば受光した赤外光を集光するレンズ部１１７が形成されている。
樹脂封止型受光素子１１０は、ガイドフレーム１１１によって多連状に繋がれている。
【００１４】
図６Ｂは、従来の遠隔制御用受光装置を製造過程で多連状としている状態を示す説明図であり、平面図および側面図を併せて示してある。
【００１５】
従来の遠隔制御用受光装置１０１は、樹脂封止型受光素子１１０にシールドケース１３０を被せた形態としてある。シールドケース１３０は、樹脂封止部１１６のレンズ部１１７の側からレンズ部１１７を覆うように装着される。シールドケース１３０は、爪部１３０ｐを樹脂封止部１１６の方へ折り曲げてかしめることによって樹脂封止部１１６に対して固定される。したがって、小さい寸法で形成された爪部１３０ｐに対する「かしめ」作業が必要とされる。
【００１６】
遠隔制御用受光装置１０１は、金属製のシールドケース１３０で樹脂封止部１１６の部分を包囲することによって、電磁ノイズに対して耐性を確保している。
【００１７】
図７は、従来の遠隔制御用受光装置の完成状態を示す説明図であり、平面図、正面図、側面図を併せて示してある。
【００１８】
遠隔制御用受光装置１０１は、リードフレーム１１１から個々に分離されて、完成状態（単品状態）となる。つまり、遠隔制御用受光装置１０１は、樹脂封止型受光素子１１０およびシールドケース１３０を備え、入出力端子としてのリード部１１５が外部へ導出されている。
【００１９】
電子部品の生産においては、低コスト化、量産化等の効率的な生産の観点から、自動製造装置への対応や海外生産展開が一般的になってきている。したがって、遠隔制御用受光装置１０１に対しても同様に生産の効率化が求められている。
【００２０】
しかしながら、従来の遠隔制御用受光装置１０１では、金属製のシールドケース１３０のケーシング（図６Ｂで、樹脂封止型受光素子１１０にシールドケース１３０を固定する過程）は、細部に関する「かしめ」により実行されている。したがって、生産性を向上させるという効率化の観点からは、一定の限界があり、また、効率化を推進する上でネックとなっていた。つまり、遠隔制御用受光装置１０１をさらに効率的に生産するために、効率的なケーシング方法が求められている。
【００２１】
また、従来、ＴＶ受像機、ＡＶ機器、エアコン等の大型の電子機器では、遠隔制御用受光装置は電子機器内部での取り付け位置と電子機器の表面に形成された受光窓の位置との間で長い距離があることから遠隔制御用受光装置に対する要求はそれほど厳しくはなかった。また、カメラ、ムービー、カーオーディオなど限られた用途でのみ面実装パッケージ品（面実装部品）が使われていた。
【００２２】
しかし、最近のＴＶ受像機の薄型化に伴い、完成品全体の大きさをできるだけ小さくする必要があり、適用される遠隔制御用受光装置に対しても薄型化の要望が増えている。また、生産ラインの自動化を容易に進めるために遠隔制御用受光装置に対しても面実装部品の形状とする要望が増えてきている。
【００２３】
また、従来例として示した遠隔制御用受光装置では、樹脂封止型受光素子はレンズ部を有していることから、シールドケースと樹脂封止型受光素子との間での位置決めはレンズ部によって実行されている。しかし、遠隔制御用受光装置（樹脂封止型受光素子）に対する薄型化の要請があることから、レンズ部を有しない樹脂封止型受光素子に対しても容易かつ高精度にシールドケースの位置決めをできる構成とする必要が生じている。
【００２４】
また、完成品の薄型化に伴い、レンズを有しない薄型形状の遠隔制御用受光装置（樹脂封止型受光素子）が求められている。したがって、レンズを有さない樹脂封止型受光素子に対するシールドケースの位置決めを容易に行える遠隔制御用受光装置が求められている。
【００２５】
また、部品構造の簡素化による生産性の向上、製造工程の簡略化による製造工数の削減による生産コストの低減が要求されている。
【００２６】
なお、従来の遠隔制御用受光装置を開示したものとして、例えば特許文献１、特許文献２がある。
【特許文献１】特開２０００−２３６１０２号公報
【特許文献２】特開２００５−１３６３４８号公報
【発明の開示】
【発明が解決しようとする課題】
【００２７】
本発明はこのような状況に鑑みてなされたものであり、樹脂封止型受光素子の樹脂封止部を囲んで電磁シールドを行うシールドケースを備える遠隔制御用受光装置であって、シールドケースに設けた第１嵌合部および第２嵌合部を相互に嵌合させることによって、簡単な構造で、シールドケースを樹脂封止部に容易かつ高精度に取り付けることが可能となり、生産性良く安価に製造することができる精度の高い遠隔制御用受光装置を提供することを目的とする。
【００２８】
また、本発明は、本発明に係る遠隔制御用受光装置を備える電子機器とすることにより、安価に製造することが可能で生産性および信頼性が高い電子機器を提供することを他の目的とする。
【課題を解決するための手段】
【００２９】
本発明に係る遠隔制御用受光装置は、受光素子チップを樹脂封止した樹脂封止部および該樹脂封止部から導出されたリード部を有する樹脂封止型受光素子と、該樹脂封止型受光素子を囲んで電磁シールドを行うシールドケースとを備える遠隔制御用受光装置であって、前記樹脂封止部は、前記受光素子チップへ光を入射させる入射面と、該入射面に隣接し前記リード部が導出されるリード導出面と、前記入射面および前記リード導出面に隣接する一対の側面と、前記入射面に隣接し前記リード導出面の反対側に位置する先端面と、前記入射面の反対側に位置する裏面とを備え、前記シールドケースは、前記入射面に対向する入射面対向部と、前記側面に対向する一対の側面対向部と、前記先端面に対向する先端面対向部と、前記側面対向部から前記樹脂封止部の側面に沿って延長され前記側面対向部より細く形成された側面対向延長部に形成された第１嵌合部と、前記先端面対向部から延長された先端面対向延長部の一部を延長方向と交差する方向に延長して形成された第２嵌合部とを備え、前記先端面対向延長部は、折り曲げられて前記裏面に対向し、前記第１嵌合部および前記第２嵌合部は、相互に嵌合させてあることを特徴とする。
【００３０】
この構成により、シールドケースに設けた第１嵌合部および第２嵌合部を相互に嵌合させるという簡単な構造で、シールドケースを樹脂封止部に容易かつ高精度に取り付けることが可能となり、組み立て精度の高い遠隔制御用受光装置を生産性良く安価に製造することができる。
【００３１】
また、本発明に係る遠隔制御用受光装置では、前記第１嵌合部は、折り曲げられた舌片状の舌片端部を備え、前記第２嵌合部は、前記舌片端部が前記樹脂封止部の方から挿入された貫通穴を有する枠状部を備えることを特徴とする。
【００３２】
この構成により、容易に形成することが可能な舌片端部および枠状部を適用して第１嵌合部と第２嵌合部との間の嵌合を容易に行わせることが可能となることから、生産性良く安価に製造することが可能な遠隔制御用受光装置とすることができる。
【００３３】
また、本発明に係る遠隔制御用受光装置では、前記第２嵌合部は、折り曲げられた舌片状の舌片端部を備え、前記第１嵌合部は、前記舌片端部が前記樹脂封止部の方から挿入された貫通穴を有する枠状部を備えることを特徴とする。
【００３４】
この構成により、容易に形成することが可能な舌片端部および枠状部を適用して第１嵌合部と第２嵌合部との間の嵌合を容易に行わせることが可能となることから、生産性良く安価に製造することが可能な遠隔制御用受光装置とすることができる。
【００３５】
また、本発明に係る遠隔制御用受光装置では、前記樹脂封止型受光素子を実装先の配線基板へ固定して保持するフック部を備え、該フック部は、前記側面対向延長部を前記第１嵌合部からさらに延長して形成されていることを特徴とする。
【００３６】
この構成により、フック部を有するディップ型の遠隔制御用受光装置とすることが可能となり、樹脂封止型受光素子の位置決めおよび保持を第１嵌合部および第２嵌合部の間の嵌合で行うことが可能となるので、位置精度の高いディップ型の遠隔制御用受光装置を生産性良く安価に製造することができる。
【００３７】
また、本発明に係る遠隔制御用受光装置では、前記舌片端部は、波状に折り曲げられていることを特徴とする。
【００３８】
この構成により、舌片端部に弾力性を持たせることが可能となることから、舌片端部を枠状部へ容易に嵌合させることができる。
【００３９】
また、本発明に係る遠隔制御用受光装置では、前記舌片端部は、前記側面対向部の外側表面に対して外側へ突出させた外側突出部を根元側に有し、該外側突出部は前記貫通穴に嵌合させてあることを特徴とする。
【００４０】
この構成により、第１嵌合部および第２嵌合部の間での嵌合強度を向上させることが可能となることから、第１嵌合部（舌片端部）と第２嵌合部（貫通穴）との嵌合を強固にして機械的に安定したシールドケースの取り付けが可能となり、信頼性の高い遠隔制御用受光装置とすることができる。
【００４１】
また、本発明に係る遠隔制御用受光装置では、前記舌片端部は、前記側面対向部の内側表面に対して樹脂封止部の方へ突出させた内側突出部を前記外側突出部に隣接して有し、前記内側突出部は前記樹脂封止部を挟む構成としてあることを特徴とする。
【００４２】
この構成により、樹脂封止部を内側突出部（舌片端部）で挟み込むことが可能となることから、シールドケースを樹脂封止型受光素子に安定的に取り付けることが可能となり、信頼性の高い遠隔制御用受光装置とすることができる。
【００４３】
また、本発明に係る遠隔制御用受光装置では、前記貫通穴の開口形状は、嵌合された前記外側突出部に対応する側が円弧状とされていることを特徴とする。
【００４４】
この構成により、外側突出部を貫通穴に対して円弧上の２点での点接触で嵌合させることが可能となり、第１嵌合部と第２嵌合部との嵌合を容易に解除してシールドケースを容易に取り外すことが可能となるので、使い勝手の良い遠隔制御用受光装置とすることができる。
【００４５】
また、本発明に係る遠隔制御用受光装置では、前記貫通穴の開口形状は、嵌合された前記外側突出部に対応する側が直線状とされていることを特徴とする。
【００４６】
この構成により、外側突出部は貫通穴に対して面接触で嵌合させることが可能となり、第１嵌合部と第２嵌合部との嵌合の強度を向上させることが可能となるので、シールドケースを樹脂封止型受光素子に強固に嵌合させ信頼性の高い遠隔制御用受光装置とすることができる。
【００４７】
また、本発明に係る遠隔制御用受光装置では、前記先端面対向延長部は、前記先端面対向部との境界に折り曲げ用貫通穴を備えることを特徴とする。
【００４８】
この構成により、先端面対向延長部を先端面対向部に対して容易かつ高精度に折り曲げることが可能となるので、先端面対向延長部を容易かつ高精度に折り曲げて裏面に対向させ、第１嵌合部および第２嵌合部相互間の嵌合を容易かつ高精度に実現することができる。
【００４９】
また、本発明に係る遠隔制御用受光装置では、前記先端面対向延長部は、前記折り曲げ用貫通穴と同一形状の放熱用貫通穴を備えることを特徴とする。
【００５０】
この構成により、放熱用貫通穴を容易に形成することが可能となり、また、樹脂封止型受光素子の裏面からの放熱を効率的に行わせることが可能となることから、信頼性の高い遠隔制御用受光装置を生産性良く安価に製造することができる。
【００５１】
また、本発明に係る遠隔制御用受光装置では、前記先端面対向延長部は、前記裏面の端部に対応させて屈曲され縁取りされた屈曲縁取り部を備えることを特徴とする。
【００５２】
この構成により、先端面対向延長部の平面精度を向上させて樹脂封止部（裏面）に対する先端面対向延長部の位置決めを高精度に行うことが可能となるので、シールドケースに対して樹脂封止部を高精度に位置決めされた遠隔制御用受光装置を生産性良く安価に製造することができる。
【００５３】
また、本発明に係る遠隔制御用受光装置では、前記側面対向部は、前記側面対向部から延長されて前記側面と交差する方向で前記裏面の延長方向に突出されたケース耳部を備え、該ケース耳部は対向する一対の前記側面に対して前記先端面からの位置を相互に異ならせてあることを特徴とする。
【００５４】
この構成により、樹脂封止型受光素子の製造工程で樹脂封止型受光素子を多連状に形成した状態の場合に、樹脂封止型受光素子の配置ピッチを最小してシールドケースを多連状に配置することが可能となるので、シールドケースと樹脂封止型受光素子との組み立てを多連状で生産性良く実行することができる。
【００５５】
また、本発明に係る電子機器は、遠隔制御用受光装置を備える電子機器であって、前記遠隔制御用受光装置は、本発明に係る遠隔制御用受光装置であることを特徴とする。
【００５６】
この構成により、生産性および信頼性が高い電子機器を安価に製造することが可能となる。
【発明の効果】
【００５７】
本発明に係る遠隔制御用受光装置によれば、受光素子チップを樹脂封止した樹脂封止部および樹脂封止部から導出されたリード部を有する樹脂封止型受光素子と、樹脂封止型受光素子を囲んで電磁シールドを行うシールドケースとを備える遠隔制御用受光装置であって、樹脂封止部は、受光素子チップへ光を入射させる入射面と、入射面に隣接しリード部が導出されるリード導出面と、入射面およびリード導出面に隣接する一対の側面と、入射面に隣接しリード導出面の反対側に位置する先端面と、入射面の反対側に位置する裏面とを備え、シールドケースは、入射面に対向する入射面対向部と、側面に対向する一対の側面対向部と、先端面に対向する先端面対向部と、側面対向部から樹脂封止部の側面に沿って延長され側面対向部より細く形成された側面対向延長部に形成された第１嵌合部と、先端面対向部から延長された先端面対向延長部の一部を延長方向と交差する方向に延長して形成された第２嵌合部とを備え、先端面対向延長部は、折り曲げられて裏面に対向し、第１嵌合部および第２嵌合部は、相互に嵌合させてあることから、シールドケースに設けた第１嵌合部および第２嵌合部を相互に嵌合させるという簡単な構造で、シールドケースを樹脂封止部に容易かつ高精度に取り付けることが可能となり、組み立て精度の高い遠隔制御用受光装置を生産性良く安価に製造することができるという効果を奏する。
【００５８】
また、本発明に係る電子機器によれば、遠隔制御用受光装置を備える電子機器であって、遠隔制御用受光装置は、本発明に係る遠隔制御用受光装置であることから、生産性および信頼性が高い電子機器を安価に製造することが可能となるという効果を奏する。
【発明を実施するための最良の形態】
【００５９】
以下、本発明の実施の形態を図面に基づいて説明する。
【００６０】
＜実施の形態１＞
図１Ａないし図３Ｃに基づいて、本実施の形態に係る遠隔制御用受光装置について説明する。
【００６１】
図１Ａは、本発明の実施の形態１に係る遠隔制御用受光装置でのシールドケースの概略構造を赤外光信号が入射する方向から見た状態として示す平面図である。
【００６２】
図１Ｂは、図１Ａの矢符Ｂ方向から見た状態として示す正面図である。
【００６３】
図１Ｃは、図１Ｂの矢符Ｃ−Ｃ方向から見た断面状態を示す断面図である。なお、断面のハッチングは省略してある。
【００６４】
図１Ｄは、図１Ａの矢符Ｄ方向から見た状態として示す側面図である。
【００６５】
図２Ａは、本発明の実施の形態１に係る遠隔制御用受光装置での樹脂封止型受光素子の概略構造を樹脂封止前の状態として示す平面図である。
【００６６】
図２Ｂは、図２Ａに示した樹脂封止型受光素子の概略構造を完成後の状態として示す平面図である。
【００６７】
図３Ａは、本発明の実施の形態１に係る遠隔制御用受光装置の概略構造を赤外光信号が入射する方向から見た状態として示す平面図である。
【００６８】
図３Ｂは、図３Ａの矢符Ｂ方向から見た状態として示す正面図である。
【００６９】
図３Ｃは、図３Ａの矢符Ｃ方向から見た状態として示す側面図である。
【００７０】
本実施の形態に係る遠隔制御用受光装置１（図３Ａないし図３Ｃ参照）は、受光素子チップ１２を樹脂封止した樹脂封止部１６および樹脂封止部１６から導出されたリード部１５を有する樹脂封止型受光素子１０（図２Ａ、図２Ｂ参照）と、樹脂封止型受光素子１０を囲んで電磁シールドを行うシールドケース３０（図１Ａないし図１Ｄ参照）とを備える。
【００７１】
樹脂封止部１６は、受光素子チップ１２へ光を入射させる入射面１６ｆと、入射面１６ｆに隣接しリード部１５が導出されるリード導出面１６ｔと、入射面１６ｆおよびリード導出面１６ｔに隣接する一対の側面１６ｓと、入射面１６ｆに隣接しリード導出面１６ｔの反対側に位置する先端面１６ｐと、入射面１６ｆの反対側に位置する裏面１６ｒとを備える。
【００７２】
シールドケース３０は、入射面１６ｆに対向する入射面対向部３１ｆと、側面１６ｓに対向する一対の側面対向部３１ｓと、先端面１６ｐに対向する先端面対向部３１ｐと、側面対向部３１ｓから延長された側面対向延長部３２ｓに形成された第１嵌合部３３と、先端面対向部３１ｐから延長された先端面対向延長部３２ｐに形成された第２嵌合部３６とを備える。
【００７３】
シールドケース３０は、例えば薄い銅板で形成され、入射面対向部３１ｆと、側面対向部３１ｓと、先端面対向部３１ｐとで樹脂封止型受光素子１０を囲むように予め折り曲げて形成してある。シールドケース３０に樹脂封止型受光素子１０を挿入した後、先端面対向延長部３２ｐが折り曲げられ、シールドケース３０は樹脂封止型受光素子１０を囲む状態となる。
【００７４】
つまり、先端面対向延長部３２ｐは、折り曲げられて裏面１６ｒに対向し、第１嵌合部３３および第２嵌合部３６は、相互に嵌合させてある。
【００７５】
この構成により、第１嵌合部３３および第２嵌合部３６を相互に嵌合させるという簡単な構造で、シールドケース３０を樹脂封止部１６に容易かつ高精度に取り付けることが可能となり、シールドケース３０をかしめる作業が不要となることから、シールドケース３０を樹脂封止部１６に容易かつ高精度に取り付けることが可能となり、組み立て精度の高い遠隔制御用受光装置１を生産性良く安価に製造することができる。
【００７６】
なお、本実施の形態では、樹脂封止型受光素子１０は、リードフレーム１１に実装された受光素子チップ１２および集積回路チップ１３を備える。受光素子チップ１２は、金属製のリードフレーム１１（例：鉄合金）に、絶縁性接着剤１２ｂを介して接着される。集積回路チップ１３は、リードフレーム１１に導電性接着剤１３ｂで接着されている。受光素子チップ１２は、例えばホトダイオード（ＰＤ）で構成される。
【００７７】
受光素子チップ１２は、通常ＰＮ接合構造を有しており、遠隔制御用受光装置１の場合には逆電圧を掛けることから、受光素子チップ１２の裏面側のＮ電極部分に電位が生ずる。したがって、リードフレーム１１の構造上ＧＮＤ電位となる受光素子チップ１２を搭載した領域部分と受光素子チップ１２を搭載した領域部分との間は絶縁状態に保っておく必要があり、リードフレーム１１と受光素子チップ１２との接着には絶縁性フィラーを含んだエポキシ樹脂（絶縁性接着剤１２ｂ）を用いる。
【００７８】
集積回路チップ１３は、表面で信号処理することから、裏面は、信号処理による影響が無い。したがって、リードフレーム１１との接着は導電性接着剤１３ｂであっても絶縁性接着剤１２ｂのような絶縁性接着剤であっても良い。通常は、作業性に優れて接着力がある導電性接着剤１３ｂ（エポキシ樹脂にＡｇ粉を混ぜ合わせた接着剤等）を使用する。
【００７９】
集積回路チップ１３の電極１３ｔとリードフレーム１１に配置された入出力端子としてのリード部１５とは、直径が数十μｍのワイヤ１４（例：Ａｕ線（金線））で接続されている。同様に、受光素子チップ１２とリード部１５、集積回路チップ１３と他のリード部１５、受光素子チップ１２と集積回路チップ１３が、ワイヤ１４で接続されている。
【００８０】
リードフレーム１１に搭載された受光素子チップ１２および集積回路チップ１３は、赤外線を透過し且つ可視光をカットする染料を混ぜた熱硬化性樹脂（封止樹脂）によって、樹脂封止され樹脂封止部１６を形成される。なお、樹脂封止部１６は、レンズ部１７を有する形態としてあるが、レンズ部１７を有しない形態とすることも可能である。
【００８１】
樹脂封止後、樹脂封止部１６から露出しているリード部１５に対して、樹脂バリ取り、タイバーカット、リードカット、半田付け処理が施される。タイバーカットおよびリードカットによってリードフレーム１１のリード部１５が互いに分離されて、個々のリード部１５となる。
【００８２】
半田付けが施された樹脂封止型受光素子１０に対して、シールドケース３０によるケーシングが行われる。なお、シールドケース３０は、レンズ部１７の表面位置を覆って受光素子チップ１２に対向するように配置された十文字状の受光素子チップ対向部３１ｄを備える。
【００８３】
本実施の形態では、第１嵌合部３３は、折り曲げられた舌片状の舌片端部３４を備え、第２嵌合部３６は、舌片端部３４が樹脂封止部１６の方から挿入された貫通穴３５ｈを有する枠状部３５を備える。
【００８４】
この構成により、容易に形成することが可能な舌片端部３４および枠状部３５を適用して第１嵌合部３３と第２嵌合部３６との間の嵌合を容易に行わせることが可能となることから、生産性良く安価に製造することが可能な遠隔制御用受光装置１とすることができる。
【００８５】
なお、舌片端部３４は、樹脂封止部１６の側面１６ｓに沿って側面対向部３１ｓより細く形成された側面対向延長部３２ｓの一部を樹脂封止部１６の厚さ方向に延長して形成されている。また、枠状部３５は、先端面対向延長部３２ｐの一部を延長方向と交差する方向に延長して形成され、先端面対向延長部３２ｐが樹脂封止部１６の裏面１６ｒに対向されたとき、舌片端部３４に対向するように予め折り曲げてある。
【００８６】
したがって、先端面対向延長部３２ｐを裏面１６ｒに対向させるように折り曲げることによって舌片端部３４を枠状部３５に対向させることが可能となる。つまり、舌片端部３４を枠状部３５に嵌合することによって、第１嵌合部３３（舌片端部３４）と第２嵌合部３６（枠状部３５）を容易かつ高精度に嵌合させることが可能となる。
【００８７】
すなわち、従来必要であった微小な爪部の折り曲げ作業、「かしめ」作業が不要となり、単に嵌め込む作業を行うだけで良いことから、組み立て作業工程を簡略化し、生産性を向上させることが可能となる。
【００８８】
舌片端部３４は、波状に折り曲げられている。したがって、舌片端部３４に弾力性を持たせることが可能となることから、舌片端部３４を枠状部３５へ容易に嵌合させることができる。
【００８９】
また、舌片端部３４は、側面対向部３１ｓの外側表面に対して外側へ突出させた外側突出部３４ｆを根元側に有し、外側突出部３４ｆは貫通穴３５ｈに嵌合させてある。したがって、第１嵌合部３３および第２嵌合部３６の間での嵌合強度を向上させることが可能となることから、第１嵌合部３３（舌片端部３４）と第２嵌合部３６（貫通穴３５ｈ）との嵌合を強固にして機械的に安定したシールドケース３０の取り付けが可能となり、信頼性の高い遠隔制御用受光装置１とすることができる。
【００９０】
また、舌片端部３４は、側面対向部３１ｓの内側表面に対して樹脂封止部１６の方へ突出させた内側突出部３４ｓを外側突出部３４ｆに隣接して有し、内側突出部３４ｓは樹脂封止部１６を挟む構成としてある。
【００９１】
この構成により、樹脂封止部１６を内側突出部３４ｓ（舌片端部３４）で挟み込むことが可能となることから、シールドケース３０を樹脂封止型受光素子１０に安定的に取り付けることが可能となり、信頼性の高い遠隔制御用受光装置１とすることができる。
【００９２】
先端面対向延長部３２ｐは、先端面対向部３１ｐとの境界に折り曲げ用貫通穴４１を備える。したがって、先端面対向延長部３２ｐを先端面対向部３１ｐに対して容易かつ高精度に折り曲げることが可能となるので、先端面対向延長部３２ｐを容易かつ高精度に折り曲げて裏面１６ｒに対向させ、第１嵌合部３３および第２嵌合部３６相互間の嵌合を容易かつ高精度に実現することができる。
【００９３】
また、先端面対向部３１ｐと先端面対向延長部３２ｐとの境界に折り曲げ用貫通穴４１の両端から延長させた折り曲げ溝４１ｇを設けることによってさらに容易かつ高精度に先端面対向延長部３２ｐを折り曲げることが可能となっている。
【００９４】
先端面対向延長部３２ｐは、折り曲げ用貫通穴４１と同一形状の放熱用貫通穴４２を備える。したがって、放熱用貫通穴４２を容易に形成することが可能となり、また、樹脂封止型受光素子１０の裏面１６ｒからの放熱を効率的に行わせることが可能となることから、信頼性の高い遠隔制御用受光装置１を生産性良く安価に製造することができる。
【００９５】
先端面対向延長部３２ｐは、裏面１６ｒの端部に対応させて屈曲され縁取りされた屈曲縁取り部（一般的にリブとも言われる）４３を備える。したがって、先端面対向延長部３２ｐの平面精度を向上させて樹脂封止部１６（裏面１６ｒ）に対する先端面対向延長部３２ｐの位置決めを高精度に行うことが可能となるので、シールドケース３０に対して樹脂封止部１６を高精度に位置決めされた遠隔制御用受光装置１を生産性良く安価に製造することができる。
【００９６】
屈曲縁取り部４３を備えることから、樹脂封止型受光素子１０がレンズ部１７を有しないレンズレスであっても、容易かつ高精度に樹脂封止型受光素子１０とシールドケース３０との位置決めを行うことが可能となる。
【００９７】
側面対向部３１ｓは、側面対向部３１ｓから延長されて側面１６ｓと交差する方向で裏面１６ｒの延長方向に突出されたケース耳部４４を備え、ケース耳部４４は対向する一対の側面１６ｓに対して先端面１６ｐからの位置を相互に異ならせてある。
【００９８】
したがって、樹脂封止型受光素子１０の製造工程で樹脂封止型受光素子１０を多連状に形成した状態の場合に、樹脂封止型受光素子１０の配置ピッチを最小してシールドケース３０を多連状に配置することが可能となるので、シールドケース３０と樹脂封止型受光素子１０との組み立てを多連状で生産性良く実行することができる。
【００９９】
上述したとおり、遠隔制御用受光装置１は、樹脂封止型受光素子１０およびシールドケース３０を備えることから、電子機器（実施の形態４参照）に取り付けられ、送信機からの赤外線信号を受信して電子機器の動作を制御する制御信号を発生する。
【０１００】
＜実施の形態２＞
図４Ａおよび図４Ｂに基づいて、本実施の形態に係る遠隔制御用受光装置について説明する。
【０１０１】
図４Ａは、本発明の実施の形態２に係る遠隔制御用受光装置でのシールドケースの概略構造を赤外光信号が入射する方向から見た状態として示す平面図である。
【０１０２】
図４Ｂは、図４Ａの矢符Ｂ方向から見た状態として示す側面図である。
【０１０３】
本実施の形態に係る遠隔制御用受光装置の基本的な構成は実施の形態１の遠隔制御用受光装置１と同様であるので、適宜実施の形態１を援用して主に異なる構成について説明する。
【０１０４】
本実施の形態に係る遠隔制御用受光装置１（実施の形態２としての図示は省略）は、受光素子チップ１２を樹脂封止した樹脂封止部１６および樹脂封止部１６から導出されたリード部１５を有する樹脂封止型受光素子１０（図２Ａ、図２Ｂ参照）と、樹脂封止型受光素子１０を囲んで電磁シールドを行うシールドケース３０（図４Ａおよび図４Ｂ参照）とを備える。
【０１０５】
シールドケース３０は、実施の形態１と同様、入射面対向部３１ｆと、側面対向部３１ｓと、先端面対向部３１ｐと、側面対向延長部３２ｓに形成された第１嵌合部３３と、先端面対向延長部３２ｐに形成された第２嵌合部３６とを備える。また、先端面対向延長部３２ｐは、折り曲げられて裏面１６ｒに対向し、第１嵌合部３３および第２嵌合部３６は、相互に嵌合させることができる構造としてある。
【０１０６】
本実施の形態では、第２嵌合部３６は、折り曲げられた舌片状の舌片端部３８を備え、第１嵌合部３３は、舌片端部３８が樹脂封止部１６の方から挿入された貫通穴３７ｈを有する枠状部３７を備える。
【０１０７】
この構成により、容易に形成することが可能な舌片端部３８および枠状部３７を適用して第１嵌合部３３と第２嵌合部３６との間の嵌合を容易に行わせることが可能となることから、生産性良く安価に製造することが可能な遠隔制御用受光装置１とすることができる。
【０１０８】
なお、舌片端部３８は、先端面対向延長部３２ｐの先端を延長方向と交差する方向に延長して形成され、先端面対向延長部３２ｐが樹脂封止部１６の裏面１６ｒに対向されたとき、枠状部３７に対向するように予め折り曲げてある。また、枠状部３７は、樹脂封止部１６の厚さ方向で側面対向延長部３２ｓの一部を除去して形成されている。
【０１０９】
本実施の形態では、樹脂封止型受光素子１０を実装先の配線基板へ固定して保持するフック部４０を備え、フック部４０は、側面対向延長部３２ｓを第１嵌合部３３からさらに延長して形成されている。つまり、フック部４０は、シールドケース３０の一部を延長して形成してある。
【０１１０】
この構成により、フック部４０を有するディップ型の遠隔制御用受光装置１とすることが可能となり、樹脂封止型受光素子１０の位置決めおよび保持を第１嵌合部３３および第２嵌合部３６の間の嵌合で行うことが可能となるので、位置精度の高いディップ型の遠隔制御用受光装置１を生産性良く安価に製造することができる。
【０１１１】
舌片端部３８は、波状に折り曲げられている。したがって、舌片端部３８に弾力性を持たせることが可能となることから、舌片端部３８を枠状部３７へ容易に嵌合させることができる。
【０１１２】
また、舌片端部３８は、側面対向部３１ｓの外側表面に対して外側へ突出させた外側突出部３８ｆを根元側に有し、外側突出部３８ｆは貫通穴３７ｈに嵌合させる構造としてある。したがって、第１嵌合部３３および第２嵌合部３６の間での嵌合強度を向上させることが可能となることから、第１嵌合部３３（貫通穴３７ｈ）と第２嵌合部３６（舌片端部３８）との嵌合を強固にして機械的に安定したシールドケース３０の取り付けが可能となり、信頼性の高い遠隔制御用受光装置１とすることができる。
【０１１３】
また、舌片端部３８は、側面対向部３１ｓの内側表面に対して樹脂封止部１６の方へ突出させた内側突出部３８ｓを外側突出部３８ｆに隣接して有し、内側突出部３８ｓは樹脂封止部１６を挟む構成としてある。
【０１１４】
この構成により、樹脂封止部１６を内側突出部３８ｓ（舌片端部３８）で挟み込むことが可能となることから、シールドケース３０を樹脂封止型受光素子１０に安定的に取り付けることが可能となり、信頼性の高い遠隔制御用受光装置１とすることができる。
【０１１５】
本実施の形態に係るシールドケース３０は、実施の形態１と同様、折り曲げ用貫通穴４１と、放熱用貫通穴４２と、屈曲縁取り部４３と、ケース耳部４４とを備えることができる。
【０１１６】
＜実施の形態３＞
図５に基づいて、本実施の形態に係る遠隔制御用受光装置の貫通穴および舌片端部の関係を実施の形態３として説明する。なお、実施の形態１での貫通穴３５ｈおよび舌片端部３４に適用した場合について説明するが、実施の形態２の場合にも同様に適用できる。
【０１１７】
図５は、本発明の実施の形態３に係る遠隔制御用受光装置でのシールドケースの貫通穴および舌片端部の関係を示す平面図であり、（Ａ）は貫通穴の形状を直線状とした場合を示し、（Ｂ）は貫通穴の形状の一部を円弧状とした場合を示す。
【０１１８】
同図（Ａ）では、貫通穴３５ｈの開口形状は、嵌合された外側突出部３４ｆに対応する側が直線状とされている。したがって、外側突出部は貫通穴に対して面接触で嵌合させることが可能となり、第１嵌合部３３と第２嵌合部３６との嵌合の強度を向上させることが可能となるので、シールドケース３０を樹脂封止型受光素子１０に強固に嵌合させ信頼性の高い遠隔制御用受光装置１とすることができる。
【０１１９】
同図（Ｂ）では、貫通穴３５ｈの開口形状は、嵌合された外側突出部３４ｆに対応する側が円弧状とされている。したがって、外側突出部３４ｆを貫通穴３５ｈに対して円弧上の２点での点接触で嵌合させることが可能となり、第１嵌合部３３と第２嵌合部３６との嵌合を容易に解除してシールドケース３０を容易に取り外すことが可能となるので、使い勝手の良い遠隔制御用受光装置１とすることができる。
【０１２０】
＜実施の形態４＞
本実施の形態に係る電子機器（不図示）は、遠隔制御用受光装置を備える電子機器であって、遠隔制御用受光装置は、実施の形態１ないし実施の形態３に係る遠隔制御用受光装置１である。したがって、生産性および信頼性が高い電子機器を安価に製造することが可能となる。
【０１２１】
なお、電子機器としては、例えば、ＴＶ（テレビ受像機）、ＶＴＲ（ビデオテープレコーダ）、オーディオ用コンポーネント、エアコンディショナ、ＤＶＤプレーヤー、ＤＶＤレコーダー等がある。
【図面の簡単な説明】
【０１２２】
【図１Ａ】本発明の実施の形態１に係る遠隔制御用受光装置でのシールドケースの概略構造を赤外光信号が入射する方向から見た状態として示す平面図である。
【図１Ｂ】図１Ａの矢符Ｂ方向から見た状態として示す正面図である。
【図１Ｃ】図１Ｂの矢符Ｃ−Ｃ方向から見た断面状態を示す断面図である。
【図１Ｄ】図１Ａの矢符Ｄ方向から見た状態として示す側面図である。
【図２Ａ】本発明の実施の形態１に係る遠隔制御用受光装置での樹脂封止型受光素子の概略構造を樹脂封止前の状態として示す平面図である。
【図２Ｂ】図２Ａに示した樹脂封止型受光素子の概略構造を完成後の状態として示す平面図である。
【図３Ａ】本発明の実施の形態１に係る遠隔制御用受光装置の概略構造を赤外光信号が入射する方向から見た状態として示す平面図である。
【図３Ｂ】図３Ａの矢符Ｂ方向から見た状態として示す正面図である。
【図３Ｃ】図３Ａの矢符Ｃ方向から見た状態として示す側面図である。
【図４Ａ】本発明の実施の形態２に係る遠隔制御用受光装置でのシールドケースの概略構造を赤外光信号が入射する方向から見た状態として示す平面図である。
【図４Ｂ】図４Ａの矢符Ｂ方向から見た状態として示す側面図である。
【図５】本発明の実施の形態３に係る遠隔制御用受光装置でのシールドケースの貫通穴および舌片端部の関係を示す平面図であり、（Ａ）は貫通穴の形状を直線状とした場合を示し、（Ｂ）は貫通穴の形状の一部を円弧状とした場合を示す。
【図６Ａ】従来の樹脂封止型受光素子を製造過程で多連状としている状態を示す説明図であり、平面図および側面図を併せて示してある。
【図６Ｂ】従来の遠隔制御用受光装置を製造過程で多連状としている状態を示す説明図であり、平面図および側面図を併せて示してある。
【図７】従来の遠隔制御用受光装置の完成状態を示す説明図であり、平面図、正面図、側面図を併せて示してある。
【符号の説明】
【０１２３】
１  遠隔制御用受光装置
１０  樹脂封止型受光素子
１１  リードフレーム
１２  受光素子チップ
１２ｂ  絶縁性接着剤
１３  集積回路チップ
１３ｂ  導電性接着剤
１３ｔ  電極
１４  ワイヤ
１５  リード部
１６  樹脂封止部
１６ｆ  入射面
１６ｐ  先端面
１６ｒ  裏面
１６ｓ  側面
１６ｔ  リード導出面
１７  レンズ部
３０  シールドケース
３１ｄ  受光素子チップ対向部
３１ｆ  入射面対向部
３１ｐ  先端面対向部
３１ｓ  側面対向部
３２ｐ  先端面対向延長部
３２ｓ  側面対向延長部
３３  第１嵌合部
３４  舌片端部
３４ｆ  外側突出部
３４ｓ  内側突出部
３５  枠状部
３５ｈ  貫通穴
３６  第２嵌合部
３７  枠状部
３７ｈ  貫通穴
３８  舌片端部
３８ｆ  外側突出部
３８ｓ  内側突出部
４０  フック部
４１  折り曲げ用貫通穴
４２  放熱用貫通穴
４３  屈曲縁取り部
４４  ケース耳部
【図１Ａ】
0005121576.tif 000002
【図１Ｂ】
0005121576.tif 000003
【図１Ｃ】
0005121576.tif 000004
【図１Ｄ】
0005121576.tif 000005
【図２Ａ】
0005121576.tif 000006
【図２Ｂ】
0005121576.tif 000007
【図３Ａ】
0005121576.tif 000008
【図３Ｂ】
0005121576.tif 000009
【図３Ｃ】
0005121576.tif 000010
【図４Ａ】
0005121576.tif 000011
【図４Ｂ】
0005121576.tif 000012
【図５】
0005121576.tif 000013
【図６Ａ】
0005121576.tif 000014
【図６Ｂ】
0005121576.tif 000015
【図７】
0005121576.tif 000016